【手続補正書】
【提出日】平成30年9月7日(2018.9.7)
【手続補正１】
【補正対象書類名】明細書
【補正対象項目名】００１５
【補正方法】変更
【補正の内容】
【００１５】
本発明は、車両の前輪又は後輪をリフトアップするリフターを側面に備えて移動可能に構成された前側台車と、前記車両の前輪又は後輪をリフトアップするリフターを側面に備えて移動可能に構成された後側台車の二台の把持台車を互いに独立に移動可能に構成し、前記前側台車を前記車両の前輪又は後輪の一方に位置決めしてリフトアップし、前記後側台車を前記車両の前輪又は後輪の他方に位置決めしてリフトアップする車両の搬送方法にかかるものである。
【手続補正２】
【補正対象書類名】明細書
【補正対象項目名】００１８
【補正方法】変更
【補正の内容】
【００１８】
また、本発明は、移動可能に構成された把持台車上に車両を支持して搬送する車両の搬送装置であって、前記把持台車として互いに独立に移動する前側台車と後側台車を備え、該前側台車と後側台車は、各々の側面に、前記把持台車の側面に沿う格納位置と、該格納位置から側方へ張り出す展開位置との間で回動自在に取り付けられ、前記展開位置において、前記車両の前輪又は後輪を前後から挟み付けるように支持しつつリフトアップするよう構成された前側アームと後側アームの一対の把持アームを備えたリフターを配してなり、車両の搬送にあたっては、前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、前記車両を、前記二台の把持台車に向かって進行させ、前記前輪又は後輪の一方が前記後側台車の側方を通過した後、前記後側台車の前側アームを展開位置に回動させ、前記前輪又は後輪の一方が前記前側台車の前側アームに当接した後、該前側台車を前記前輪又は後輪の一方に追従させ、前記前輪又は後輪の他方が、前記後側台車の前側アームに当接した段階で前記車両を停車させ、該車両をリフトアップするよう構成された車両の搬送装置にかかるものである。
【手続補正３】
【補正対象書類名】明細書
【補正対象項目名】００１９
【補正方法】変更
【補正の内容】
【００１９】
本発明の車両の搬送方法においては、前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、前記二台の把持台車を、前記車両に向かって移動させ、前記後側台車が前記前輪又は後輪の一方の間を通過した後、前記後側台車の前側アームを展開位置に回動させ、該後側台車の前側アームを前記前輪又は後輪の他方に当接させ、前記前側台車は、前側アームを前記前輪又は後輪の一方に当接させ、前記車両をリフトアップすることができる。
【手続補正４】
【補正対象書類名】明細書
【補正対象項目名】００２０
【補正方法】変更
【補正の内容】
【００２０】
また、本発明は、移動可能に構成された把持台車上に車両を支持して搬送する車両の搬送装置であって、前記把持台車として互いに独立に移動する前側台車と後側台車を備え、該前側台車と後側台車は、各々の側面に、前記把持台車の側面に沿う格納位置と、該格納位置から側方へ張り出す展開位置との間で回動自在に取り付けられ、前記展開位置において、前記車両の前輪又は後輪を前後から挟み付けるように支持しつつリフトアップするよう構成された前側アームと後側アームの一対の把持アームを備えたリフターを配してなり、車両の搬送にあたっては、前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、前記二台の把持台車を、前記車両に向かって移動させ、前記後側台車が前記前輪又は後輪の一方の間を通過した後、前記後側台車の前側アームを展開位置に回動させ、該後側台車の前側アームを前記前輪又は後輪の他方に当接させ、前記前側台車は、前側アームを前記前輪又は後輪の一方に当接させ、前記車両をリフトアップするよう構成した車両の搬送装置にかかるものである。
【手続補正５】
【補正対象書類名】明細書
【補正対象項目名】００２３
【補正方法】変更
【補正の内容】
【００２３】
また、本発明は、移動可能に構成された把持台車上に車両を支持して搬送する車両の搬送装置であって、前記把持台車として互いに独立に移動する前側台車と後側台車を備え、該前側台車と後側台車は、各々の側面に、前記把持台車の側面に沿う格納位置と、該格納位置から側方へ張り出す展開位置との間で回動自在に取り付けられ、前記展開位置において、前記車両の前輪又は後輪を前後から挟み付けるように支持しつつリフトアップするよう構成された前側アームと後側アームの一対の把持アームを備えたリフターを配してなり、車両の搬送にあたっては、前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、前記車両を、前記二台の把持台車に向かって進行させ、前記前輪又は後輪の一方が前記後側台車の側方を通過した後、前記後側台車の前側アームを展開位置に回動させ、該後側台車の前側アームを前記前輪又は後輪の他方に当接させ、前記前輪又は後輪の一方が前記前側台車の前側アームに当接した段階で前記車両を停車させ、前記車両をリフトアップするよう構成した車両の搬送装置にかかるものである。
【手続補正６】
【補正対象書類名】特許請求の範囲
【補正対象項目名】全文
【補正方法】変更
【補正の内容】
【特許請求の範囲】
【請求項１】
車両の前輪又は後輪をリフトアップするリフターを側面に備えて移動可能に構成された前側台車と、
前記車両の前輪又は後輪をリフトアップするリフターを側面に備えて移動可能に構成された後側台車の二台の把持台車を互いに独立に移動可能に構成し、
前記前側台車を前記車両の前輪又は後輪の一方に位置決めしてリフトアップし、
前記後側台車を前記車両の前輪又は後輪の他方に位置決めしてリフトアップする車両の搬送方法。
【請求項２】
前記リフターは、前記把持台車の側面に沿う格納位置と、該格納位置から側方へ張り出す展開位置との間で回動自在に取り付けられた把持アームを備え、
該把持アームとしては、前側アームと後側アームを備え、
該前側アームと該後側アームは、前記展開位置において、前記車両の前輪又は後輪を前後から挟み付けるように支持しつつリフトアップするよう構成し、
前記車両のリフトアップに先立って、前記前側アーム又は前記後側アームの一方を格納位置に回動させて前記車両の前輪又は後輪の間を通過させた後、
前記前側アーム又は前記後側アームの他方を展開位置に回動させた状態で前記車両の前輪又は後輪に対して位置決めを行い、
その後、前記前側アーム又は前記後側アームの一方を展開位置に回動させ、前記車両をリフトアップする請求項１記載の車両の搬送方法。
【請求項３】
前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、
前記車両を、前記二台の把持台車に向かって進行させ、
前記前輪又は後輪の一方が前記後側台車の側方を通過した後、前記後側台車の前側アームを展開位置に回動させ、
前記前輪又は後輪の一方が前記前側台車の前側アームに当接した後、該前側台車を前記前輪又は後輪の一方に追従させ、
前記前輪又は後輪の他方が、前記後側台車の前側アームに当接した段階で前記車両を停車させ、該車両をリフトアップする請求項２記載の車両の搬送方法。
【請求項４】
移動可能に構成された把持台車上に車両を支持して搬送する車両の搬送装置であって、
前記把持台車として互いに独立に移動する前側台車と後側台車を備え、
該前側台車と後側台車は、各々の側面に、前記把持台車の側面に沿う格納位置と、該格納位置から側方へ張り出す展開位置との間で回動自在に取り付けられ、前記展開位置において、前記車両の前輪又は後輪を前後から挟み付けるように支持しつつリフトアップするよう構成された前側アームと後側アームの一対の把持アームを備えたリフターを配してなり、
車両の搬送にあたっては、前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、
前記車両を、前記二台の把持台車に向かって進行させ、
前記前輪又は後輪の一方が前記後側台車の側方を通過した後、前記後側台車の前側アームを展開位置に回動させ、
前記前輪又は後輪の一方が前記前側台車の前側アームに当接した後、該前側台車を前記前輪又は後輪の一方に追従させ、
前記前輪又は後輪の他方が、前記後側台車の前側アームに当接した段階で前記車両を停車させ、該車両をリフトアップするよう構成された車両の搬送装置。
【請求項５】
前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、
前記二台の把持台車を、前記車両に向かって移動させ、
前記後側台車が前記前輪又は後輪の一方の間を通過した後、前記後側台車の前側アームを展開位置に回動させ、
該後側台車の前側アームを前記前輪又は後輪の他方に当接させ、
前記前側台車は、前側アームを前記前輪又は後輪の一方に当接させ、
前記車両をリフトアップする請求項２記載の車両の搬送方法。
【請求項６】
移動可能に構成された把持台車上に車両を支持して搬送する車両の搬送装置であって、
前記把持台車として互いに独立に移動する前側台車と後側台車を備え、
該前側台車と後側台車は、各々の側面に、前記把持台車の側面に沿う格納位置と、該格納位置から側方へ張り出す展開位置との間で回動自在に取り付けられ、前記展開位置において、前記車両の前輪又は後輪を前後から挟み付けるように支持しつつリフトアップするよう構成された前側アームと後側アームの一対の把持アームを備えたリフターを配してなり、
車両の搬送にあたっては、前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、
前記二台の把持台車を、前記車両に向かって移動させ、
前記後側台車が前記前輪又は後輪の一方の間を通過した後、前記後側台車の前側アームを展開位置に回動させ、
該後側台車の前側アームを前記前輪又は後輪の他方に当接させ、
前記前側台車は、前側アームを前記前輪又は後輪の一方に当接させ、
前記車両をリフトアップするよう構成した車両の搬送装置。
【請求項７】
前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、
前記車両を、前記二台の把持台車に向かって進行させ、
前記前輪又は後輪の一方が前記後側台車の側方を通過した後、前記後側台車の前側アームを展開位置に回動させ、該後側台車の前側アームを前記前輪又は後輪の他方に当接させ、
前記前輪又は後輪の一方が前記前側台車の前側アームに当接した段階で前記車両を停車させ、
前記車両をリフトアップする請求項２記載の車両の搬送方法。
【請求項８】
前記後側台車の前側アームを展開位置に回動させ、該後側台車の前側アームを前記前輪又は後輪の他方に当接させるステップは、前記前輪又は後輪の一方が前記前側台車の前側アームに当接した段階で前記車両を停車させるステップの後に行われる、請求項７に記載の車両の搬送方法。
【請求項９】
移動可能に構成された把持台車上に車両を支持して搬送する車両の搬送装置であって、
前記把持台車として互いに独立に移動する前側台車と後側台車を備え、
該前側台車と後側台車は、各々の側面に、前記把持台車の側面に沿う格納位置と、該格納位置から側方へ張り出す展開位置との間で回動自在に取り付けられ、前記展開位置において、前記車両の前輪又は後輪を前後から挟み付けるように支持しつつリフトアップするよう構成された前側アームと後側アームの一対の把持アームを備えたリフターを配してなり、
車両の搬送にあたっては、前記前側台車の前側アームを展開位置に、後側アームを格納位置に回動させ、前記後側台車の前側アームと後側アームを格納位置に回動させた状態で、前記車両を、該車両、前記後側台車、前記前側台車の順に配置し、
前記車両を、前記二台の把持台車に向かって進行させ、
前記前輪又は後輪の一方が前記後側台車の側方を通過した後、前記後側台車の前側アームを展開位置に回動させ、該後側台車の前側アームを前記前輪又は後輪の他方に当接させ、
前記前輪又は後輪の一方が前記前側台車の前側アームに当接した段階で前記車両を停車させ、
前記車両をリフトアップするよう構成した車両の搬送装置。